(57)【要約】【課題】遮断機能付きで小形化が可能なガスメータを提供すること。【解決手段】被計測流体が流入するメータ入口１０１と流出するメータ出口１０２を有するメータ本体１０３と、メータ入口１０１からメータ本体１０３内部に延出された延出部１０１ａと、メータ本体１０３内に内装され、被計測流体の導入部１２ａと導出部１２ｂを備えた直管状の計測流路１２を有する流量計測ユニット１０と、延出部１０１ａの内部通路１０１ｂに配置された遮断弁１４と、を備え、流量計測ユニット１０は、導入部１２ａが延出部１０１ａに気密に接続され、内部通路１０１ｂに連通する構成とした。【選択図】図２
2018194507.tif 000002
【特許請求の範囲】
【請求項１】
被計測流体が流入するメータ入口と前記被計測流体が流出するメータ出口を有するメータ本体と、
前記メータ入口から前記メータ本体内部に延出された延出部と、
前記メータ本体内に内装され、前記被計測流体の導入部と導出部を備えた直管状の計測流路を有する流量計測ユニットと、
前記延出部の内部通路に配置された遮断弁と、
を備え、
前記流量計測ユニットは、前記導入部が前記延出部に気密に接続され、前記内部通路に連通したことを特徴とするガスメータ。
【請求項２】
前記メータ入口と前記メータ出口が直線状に配置され、
前記流量計測ユニットは、前記計測流路の中心線が前記メータ入口と前記メータ出口とを結ぶ中心線と略一致するように配置されたことを特徴とする請求項１に記載のガスメータ。
【発明の詳細な説明】
【技術分野】
【０００１】
本発明は、ガスなどの流体の流量を計測する流量計測ユニットが組み込まれ、遮断機能を有するガスメータに関する。
【背景技術】
【０００２】
ガスメータ等の流量計において、超音波やフローセンサーを用いた所謂電子化メータが実用化され、応用として、単独で流量計測可能な流量計測ユニット及びこれを用いたガスメータが提案されている。
【０００３】
また、ガスメータは保安機能としてガスの流量を監視して異常があった場合にガスを遮断する為の遮断弁が内蔵されている。
【０００４】
図５はこのようなガスメータを図示したもので、入口４０１と出口４０２を有するガスメータ４００内に、流量計測ユニット４０３が収容されており、被計測流体であるガスは流量計測ユニット４０３の導入部４０３ａから流入し、出口パイプ４０４に接続された導出部４０３ｂから流出するように構成されている。また、入口４０１には、遮断弁４０５が接続されており、入口４０１から入ったガスは遮断弁３０５内の通路を経由して、ガスメータ４００の本体内に拡散し、流量計測ユニット４０３の導入部４０３ａに至る（例えば、特許文献１参照）。
【０００５】
また、別の形態として、図６に示すように直管状のパイプ５０１の途中に外部から遮断弁５０２及び流量計測ユニット５０３を取り付けた構成のガスメータ５００も提案されている（例えば、特許文献２参照）。
【先行技術文献】
【特許文献】
【０００６】
【特許文献１】特開２０１２−１８０３１号公報
【特許文献２】特開２０１２−２４７２９９号公報
【発明の概要】
【発明が解決しようとする課題】
【０００７】
しかしながら、特許文献１に記載のガスメータの場合は、流量計測ユニット４０３と遮断弁４０５が離れているために、遮断弁４０５を経由してガスメータ４００内に拡散したガスは様々な方向から流量計測ユニット４０３に流入する為に、ガスメータ４００の内部の形状、大きさの影響を受け、流量計測ユニット４０３へのガスの流入状態を一定にするのは困難で有り、ガスメータの本体形状に合わせて個々に流量計測ユニット４０３の形状、或いは流量係数等を最適化する必要があった。
【０００８】
また、特許文献２に記載のガスメータの場合は、パイプ５０１に流量計測ユニット５０３と遮断弁５０２を取り付ける為の開口部５０１ａ、５０１ｂが別々に構成されているため、ガスメータの小型化が困難である、或いは、開口部５０１ａ、５０１ｂのそれぞれにガス漏れに対しての気密を確保する必要があり、このためのシール構成が複雑となるといった課題があった。
【０００９】
本発明は、前記従来の課題を解決するもので、遮断機能を有すると共に、内蔵されるガスメータの形状に関わらず、安定した流量計測を可能で、しかも、小形化が可能なガスメータを提供することを目的とする。
【課題を解決するための手段】
【００１０】
前記従来の課題を解決するために、本発明のガスメータは、被計測流体が流入するメータ入口と前記被計測流体が流出するメータ出口を有するメータ本体と、前記メータ入口から前記筐体内部に延出された延出部と、前記メータ本体内に内装され、前記被計測流体の導入部と導出部を備えた直管状の計測流路を有する流量計測ユニットと、前記延出部の内部通路に配置された遮断弁と、を備え、前記計測ユニットは、前記導入部が前記延出部に気密に接続され、前記内部通路に連通したことを特徴とするものである。
【００１１】
これによって、遮断弁から流量計測ユニットに至るガスの流れが一定となるので、ガスメータの形状に関わらず、安定した流量計測が可能となると共に、遮断弁と流量計量ユニットを最短距離で直結できるのでガスメータの小型化が可能となる。
【００１２】
また、遮断弁から計測流路に至るガスの流れが一定となるので、ガスメータの形状に関わらず、安定した流量計測が可能となる。
【発明の効果】
【００１３】
本発明のガスメータによると、ガスメータ本体の形状に関わらず、安定した流量計測が可能となると共に、遮断弁と流量計量ユニットを最短距離で直結できるのでガスメータの小型化が可能となる。
【図面の簡単な説明】
【００１４】
【図１】本発明の実施の形態１におけるガスメータの要部側面断面図
【図２】本発明の実施の形態１におけるガスメータの側面断面図
【図３】本発明の実施の形態２におけるガスメータの要部側面断面図
【図４】本発明の実施の形態２におけるガスメータの側面断面図
【図５】従来の流量計測ユニットを用いるガスメータの断面図
【図６】従来の流量計測ユニットを用いるガスメータの断面図
【発明を実施するための形態】
【００１５】
第１の発明は、被計測流体が流入するメータ入口と前記被計測流体が流出するメータ出口を有するメータ本体と、前記メータ入口から前記筐体内部に延出された延出部と、前記メータ本体内に内装され、前記被計測流体の導入部と導出部を備えた直管状の計測流路を有する流量計測ユニットと、前記延出部の内部通路に配置された遮断弁と、を備え、前記流量計測ユニットは、前記導入部が前記延出部に気密に接続され、前記内部通路に連通したことを特徴とするものである。
【００１６】
そして、遮断弁から流量計測ユニットに至るガスの流れが一定となるので、ガスメータの形状に関わらず、安定した流量計測が可能となると共に、遮断弁と流量計量ユニットを最短距離で直結できるのでガスメータの小型化が可能となる。
【００１７】
第２の発明は、第１の発明において、前記メータ入口と前記メータ出口が直線状に配置され、前記流量計測ユニットは、前記計測流路の中心線が前記メータ入口と前記メータ出口とを結ぶ中心線と略一致するように配置されたことを特徴とするものである。
【００１８】
以下、添付の図面を参照しながら、本発明による流量計測ユニットおよび流量計の実施の形態を説明する。同じ構成要素には同じ参照符号を付す。既に説明した構成要素については再度の説明を省略する。なお、本発明は、以下で説明する実施の形態によって限定されるものではない。
【００１９】
本明細書において、ガスメータは流体を配送する配管と接続され、配管を流れる流体の流量を計測する。ガスメータには流量計測ユニットが組み込まれており、流量計測ユニットが流体の流量を計測する。つまり、流量計測ユニットはガスメータの一部品であるとする。以下では、まず流量計測ユニットの詳細な構成を説明し、その後、流量計測ユニットが組み込まれたガスメータを説明する。
【００２０】
（実施の形態１）
図１はガスメータ１００の要部側面断面図、図２は遮断弁及び流量計測ユニットを含めた側面断面図である。
【００２１】
ガスメータ１００は、メータ入口１０１とメータ出口１０２をメータ本体１０３の同一の面（図においては上部）に設けて有り、このメータ本体１０３の内部に、流量計測ユニット１０と遮断弁１４が連結した状態で収納されている。
【００２２】
メータ入口１０１には、メータ本体１０３内部に延出された延出部１０１ａが形成されている。本実施の形態においては、メータ入口１０１の入口部分には配管との接続を行う為のネジ１０１ｄが形成されており、延出部１０１ａと一体に構成されている。
【００２３】
延出部１０１ａ内部には、内部通路１０１ｂが形成されている。そして、出口側１０１ｃが流量計測ユニット１０の導入部１２ａと接続されており、内部通路１０１ｂは計測流路１２と連通している。また、駆動装置１９の取付部１０１ｅが設けられており、駆動装置１９のフランジ１９ａがＯリング１９ｂを挟んで図示しないビス等で取付部１０１ｅに気密に固定されている。また、内部通路１０１ｂの途中には弁座１７が形成されており、駆動装置１９により駆動される弁体１５が当接することで内部通路１０１ｂが遮断されてガスの流れを遮断する。
【００２４】
駆動装置１９は、ステーター１６ａ、ローター１６ｂ、回転軸１６ｃからなるモータ１６と、回転軸１６ｃの先端に設けた雄ねじ１６ｄに弁体１５の雌ネジ１５ａが螺合して、回転軸１６ｃの回転を直線運動に変換する直動機構からなり、弁体１５を移動させる。
【００２５】
流量計測ユニット１０は、被計測流体であるガスの導入部１２ａと導出部１２ｂを有する計測流路１２、及び計測流路１２を流れるガスの流量を計測する流量計測ブロック１３から構成されている。
【００２６】
流量計測ユニット１０は、超音波を利用した計測方法を用いるもので、具体的には、一対の超音波送受信器１３ａ、１３ｂを用い、一方の超音波送受信器から計測流路１２内に送信された超音波がガス中を伝播し、対向する計測流路１２の内壁１２ｃに反射して更にガス中を伝播して他方の超音波送受信器で受信されるまでの時間を計測し、この時間によりガスの流速を求めて、最終的にガスの流量を求めるものである。
【００２７】
以上の様に、本実施の形態のガスメータによると、遮断弁１４と流量計測ユニット１０を直結することで被計測流体であるガスはメータ本体１０３内部に拡散することなく直接計測流路に流入する為、メータ本体１０３の形状の影響を受けずに一定の流れとなる。従って、ガスメータ本体の形状に関わらず、安定した流量計測が可能となると共に、遮断弁と流量計量ユニットを最短距離で直結できるのでガスメータの小型化が可能となる。
【００２８】
（実施の形態２）
図３はガスメータ２００の要部側面断面図、図４は遮断弁及び流量計測ユニットを含めた側面断面図である。
【００２９】
ガスメータ２００は、メータ入口２０１とメータ出口２０２とがその中心線が直線になるようにメータ本体２０３の対向する面（図においては左右）に設けて有り、このメータ本体２０３の内部に、流量計測ユニット１０と遮断弁１４が連結した状態で収納されている。なお、メータ本体２０３は、下ケース２０４、上ケース２０５からなり、下ケース２０４側にメータ入口２０１とメータ出口２０２が設けてある。
【００３０】
メータ入口２０１には、メータ本体２０３内部に延出された延出部２０１ａが形成されている。本実施の形態においては、メータ入口２０１の入口部分には配管との接続を行う為のネジ２０１ｄが形成されており、延出部２０１ａと一体に構成されている。
【００３１】
延出部２０１ａ内部には、内部通路２０１ｂが形成されている。そして、出口側２０１ｃが流量計測ユニット１０の導入部１２ａと接続されており、内部通路２０１ｂは計測流路１２と連通している。また、駆動装置１９の取付部２０１ｅが設けられており、駆動装置１９のフランジ１９ａがＯリング１９ｂを挟んで図示しないビス等で取付部２０１ｅに気密に固定されている。また、内部通路２０１ｂの途中には弁座１７が形成されており、駆動装置１９により駆動される弁体１５が当接することで内部通路２０１ｂが遮断されてガスの流れを遮断する。
【００３２】
以上の構成により、実施の形態１と同様の効果を得ることが出来、また。図２に示すように、メータ入口２０１、導入部１２ａ、導出部１２ｂ、メータ出口２０２の中心は同一直線状となるように配置されているので、実施の形態１に比べ、更なる小形化が可能となり、更に、直線状配管の途中にガスメータを取り付けることが可能となり、設置の自由度が高まる。
【産業上の利用可能性】
【００３３】
本発明にかかるガスメータによると、遮断機能を有するガスメータの小形化が可能となる。
【符号の説明】
【００３４】
１０  流量計測ユニット
１２  計測流路
１２ａ  導入部
１２ｂ  導出部
１４  遮断弁
１９  駆動装置
１００，２００  ガスメータ
１０１，２０１  メータ入口
１０１ａ，２０１ａ  延出部
１０１ｂ，２０１ｂ  内部通路
１０２，２０２  メータ出口
１０３，２０３  メータ本体
【図１】
2018194507.tif 000003
【図２】
2018194507.tif 000004
【図３】
2018194507.tif 000005
【図４】
2018194507.tif 000006
【図５】
2018194507.tif 000007
【図６】
2018194507.tif 000008